(57)【要約】【課題】  耐久性の高い部材でロック及び解除操作ができ、戸外からの解除操作がやり難く、引き戸の防犯機能を大きく向上できるようにする。【解決手段】  一方の引き戸３Ａに固定された基体４と、この基体４にヒンジ軸５を介して枢支されたロック体６とを有し、ロック体６が退避姿勢Ｆとロック姿勢Ｒとに姿勢変更可能である。基体４又はロック体６の一方には、ヒンジ軸５を介して支持板７が枢支連結されており、基体４又はロック体６の他方には、支持板７を摺動可能に収納保持する凹部が形成され、かつこの凹部内に支持板７を収納方向に付勢する付勢手段が設けられており、基体４とロック体６との間には、ロック姿勢Ｒから退避姿勢Ｆへのロック体６の姿勢変更を規制しかつ付勢手段に抗して支持板７を凹部から突出方向に移動することにより前記規制が解除される規制手段１３が設けられている。【選択図】図１
2018154962.tif 000002
【特許請求の範囲】
【請求項１】
一方の引き戸（３Ａ）に固定された基体（４）と、この基体（４）にヒンジ軸（５）を介して枢支されたロック体（６）とを有していて、前記ロック体（６）が基体（４）と平行な退避姿勢（Ｆ）と基体（４）と交差して他方の引き戸（３Ｂ）の移動軌道上へ突出するロック姿勢（Ｒ）とに姿勢変更可能にした引き戸のロック装置であって、
基体（４）又はロック体（６）の一方には、ヒンジ軸（５）を介して支持板（７）が枢支連結されており、
基体（４）又はロック体（６）の他方には、支持板（７）を摺動可能に収納保持する凹部（１１）が形成され、かつこの凹部（１１）内に支持板（７）を収納方向に付勢する付勢手段（１２）が設けられており、
前記基体（４）とロック体（６）との間には、ロック姿勢（Ｒ）から退避姿勢（Ｆ）へのロック体（６）の姿勢変更を規制しかつ付勢手段（１２）に抗して支持板（７）を凹部（１１）から突出方向に移動することにより前記規制が解除される規制手段（１３）が設けられていることを特徴とする引き戸のロック装置。
【請求項２】
前記支持板（７）には、ヒンジ軸（５）を支持する軸受部（１６）と、付勢手段（１２）を取り付ける装着部（１７）とが形成されており、
前記基体（４）には、ヒンジ軸（５）を支持する軸受部（１５）と、この軸受部（１５）に隣接していて上向きの受け面（４ａ）とが形成されており、
前記ロック体（６）には、付勢手段（１２）と係合する係合部（１８）と、ロック体（６）のヒンジ軸（５）側の端部に形成されていて、退避姿勢（Ｆ）のときに基体（４）の受け面（４ａ）と面接する先端面（６ａ）と、この先端面（６ａ）と略直交していてロック姿勢（Ｒ）のときに基体（４）の受け面（４ａ）と面接するロック面（６ｂ）とが形成されていることを特徴とする請求項１に記載の引き戸のロック装置。
【請求項３】
前記ロック体（６）は、支持板（７）を収納保持する凹部（１１）を形成したロック本体（１９）と、このロック本体（１９）に装着されて凹部（１１）を閉鎖する蓋板（２０）とを有し、前記蓋板（２０）のヒンジ軸（５）側の端部は鉤状に屈曲されていて前記先端面（６ａ）とロック面（６ｂ）とが形成されていることを特徴とする請求項２に記載の引き戸のロック装置。
【発明の詳細な説明】
【技術分野】
【０００１】
本発明は、出入り口、窓等の引き戸に補助錠として設けられるロック装置に関する。
【背景技術】
【０００２】
２枚の戸を引き違いにした引き戸には、クレセント錠等の主錠が装備されており、それに加えて、戸外から引き戸を打ち破って主錠を解錠できても、引き戸の移動を困難にするために補助錠としてロック装置が設けられている。
この種のロック装置の従来技術は、特許文献１においては、屋外引き戸の屋内側面に取り付け可能な取付基板と、この取付基板に上下揺動自在に設けられたロック部材と、を備えており、このロック部材が、屋内引き戸の走行経路から外れるアンロック姿勢と屋内引き戸の走行経路内に突出するロック姿勢とに切り換え自在になっている引き戸の補助ロック装置において、ロック姿勢に切り換えられた前記ロック部材がアンロック姿勢側に揺動するのを規制する保持部材と、この保持部材による当該ロック部材の揺動規制を解除するように操作可能な操作部材と、を備えている（請求項１）、前記保持部材はロック部材の内部に移動自在に収納されており、この保持部材に操作部材が一体に突設されている（請求項３）ものとなっている。
【先行技術文献】
【特許文献】
【０００３】
【特許文献１】特開２００１−２５４５５７号公報
【発明の概要】
【発明が解決しようとする課題】
【０００４】
前記従来技術は、ロック姿勢に切り換えられたロック部材を保持部材によってアンロック姿勢側に揺動するのを規制し、保持部材の揺動規制を解除しない限り、ロック姿勢になっているロック部材をアンロック姿勢に戻すことができなくしており、引き戸の防犯機能を向上できる。
しかしながら、揺動規制をする保持部材はロック部材の内部に移動自在に収納され、この保持部材に操作部材が一体に突設されているので、これらは耐久性の低い小物で形成され、引き戸を打ち破って行う戸外からの解除操作が容易にできるものとなり、引き戸の防犯機能を大きく向上できるものとはなっていない。
【０００５】
本発明は、このような従来技術の問題点を解決できるようにした引き戸のロック装置を提供することを目的とする。
本発明は、引き戸の移動を規制するロック体自体を姿勢変更のための操作部材にすることにより、耐久性の高い部材でロック及び解除操作ができ、戸外からの解除操作がやり難く、引き戸の防犯機能を大きく向上できるようにした引き戸のロック装置を提供することを目的とする。
【課題を解決するための手段】
【０００６】
本発明における課題解決のための具体的手段は、次の通りである。
第１に、一方の引き戸３Ａに固定された基体４と、この基体４にヒンジ軸５を介して枢支されたロック体６とを有していて、前記ロック体６が基体４と平行な退避姿勢Ｆと基体４と交差して他方の引き戸３Ｂの移動軌道上へ突出するロック姿勢Ｒとに姿勢変更可能にした引き戸のロック装置であって、
基体４又はロック体６の一方には、ヒンジ軸５を介して支持板７が枢支連結されており、基体４又はロック体６の他方には、支持板７を摺動可能に収納保持する凹部１１が形成され、かつこの凹部１１内に支持板７を収納方向に付勢する付勢手段１２が設けられており、前記基体４とロック体６との間には、ロック姿勢Ｒから退避姿勢Ｆへのロック体６の姿勢変更を規制しかつ付勢手段１２に抗して支持板７を凹部１１から突出方向に移動することにより前記規制が解除される規制手段１３が設けられていることを特徴とする。
【０００７】
第２に、前記支持板７には、ヒンジ軸５を支持する軸受部１６と、付勢手段１２を取り付ける装着部１７とが形成されており、
前記基体４には、ヒンジ軸５を支持する軸受部１５と、この軸受部１５に隣接していて上向きの受け面４ａとが形成されており、
前記ロック体６には、付勢手段１２と係合する係合部１８と、ロック体６のヒンジ軸５側の端部に形成されていて、退避姿勢Ｆのときに基体４の受け面４ａと面接する先端面６ａと、この先端面６ａと略直交していてロック姿勢Ｒのときに基体４の受け面４ａと面接するロック面６ｂとが形成されていることを特徴とする。
【０００８】
第３に、前記ロック体６は、支持板７を収納保持する凹部１１を形成したロック本体１９と、このロック本体１９に装着されて凹部１１を閉鎖する蓋板２０とを有し、前記蓋板２０のヒンジ軸５側の端部は鉤状に屈曲されていて前記先端面６ａとロック面６ｂとが形成されていることを特徴とする。
【発明の効果】
【０００９】
本発明によれば、耐久性の高い部材でロック及び解除操作ができ、戸外からの解除操作がやり難く、引き戸の防犯機能を大きく向上できる。
即ち、請求項１に係る発明は、基体４又はロック体６の一方にヒンジ軸５を介して支持板７が枢支連結されており、基体４又はロック体６の他方に支持板７を摺動可能に収納保持する凹部１１が形成され、かつこの凹部１１内に支持板７を収納方向に付勢する付勢手段１２が設けられているので、付勢手段１２に抗して支持板７を反収納方向へ相対移動することにより、ロック体６の姿勢変更規制を解除することができ、ロック体６で引き戸の移動規制と、ロック解除のための操作とを行うことができ、引き戸を打ち破って行う戸外からの解除操作はやり難く、引き戸の防犯機能を大きく向上することができる。
【００１０】
請求項２に係る発明は、ロック体６にはヒンジ軸５側の先端面６ａとロック面６ｂとが形成され、基体４にはロック姿勢Ｒのときにロック体６のロック面６ｂと面接する受け面４ａが形成されているので、付勢手段１２によってロック体６のロック面６ｂは基体４の受け面４ａと面当たりしてロック姿勢Ｒを維持でき、付勢手段１２に抗する方向にロック体６自体を移動しないと姿勢変更できなく、戸外からの解除操作がやり難くできる。
【００１１】
請求項３に係る発明は、ロック体６がロック本体１９と蓋板２０とを有し、蓋板２０に前記先端面６ａとロック面６ｂとが形成されているので、単純形状の板材で基体４と当接する面を形成できる。
【図面の簡単な説明】
【００１２】
【図１】本発明の実施形態を示すロック体がロック姿勢の斜視図である。
【図２】ロック体が退避姿勢の正面図である。
【図３】ロック体が移動状態の正面図である。
【図４】ロック体がロック姿勢の側面図である。
【図５】図２のＸ−Ｘ線断面説明図である。
【図６】付勢手段の第１変形例を示す正面図である。
【図７】付勢手段の第２変形例を示す正面図である。
【発明を実施するための形態】
【００１３】
以下、本発明の実施の形態を図面に基づいて説明する。
図１、４において、出入り口、窓等は複数枚の引き違い戸によって閉鎖され、２枚の引き戸３Ａ，３Ｂの内の屋内側の引き戸３Ｂに屋外側の引き戸３Ａと係合する主錠が装備され、屋外側の引き戸３Ａに屋内側の引き戸３Ｂと係合して開き方向の移動を阻止するロック装置１が設けられる。
【００１４】
ロック装置１は全体形状が略蝶番形状、コンパクト形状であって、屋外側の引き戸３Ａの戸枠の屋内側の面に固定された基体４と、この基体４にヒンジ軸５を介して枢支されたロック体６とを有している。
ロック体６は基体４の真上で平行となる退避姿勢Ｆと、基体４と略直交状に交差して屋内側の引き戸３Ｂの移動軌道（出入り口を開放する走行軌道）上へ突出するロック姿勢Ｒとに姿勢変更可能になっている。
【００１５】
図１〜６において、基体４は１枚の板金を切り抜きかつ屈曲して形成されており、引き戸３Ａの戸枠に面接してネジ止め又は接着される取付面４ｂと、この取付面４ｂの上部を
引き戸３Ａ側に屈曲した受け面４ａと、この受け面４ａの先端の幅方向中央で上方に立ち上がった立上壁４ｃと、この立上壁４ｃの幅方向両端で室内側へ突出した一対の軸受部１５とを有している。
【００１６】
前記受け面４ａは一対の軸受部１５のヒンジ軸５方向の延長位置で、上向きに面している。前記一対の軸受部１５は軸穴を有していて、ヒンジ軸５を貫通支持しており、このヒンジ軸５は立上壁４ｃの前方でかつ平行に位置する。
前記受け面４ａは退避姿勢Ｆのときにロック体６の先端面６ａと面接する面であり、ロック姿勢Ｒのときにロック体６のロック面６ｂと面接する面でもある。
【００１７】
図１〜３、５において、ロック体６は、ヒンジ軸５に連結される支持板７と、この支持板７を摺動自在に収納保持する凹部１１を形成した箱形状のロック本体１９と、このロック本体１９に装着されて凹部１１を閉鎖する蓋板２０とを有しており、ロック本体１９の凹部１１にはコの字形状の摺動板２２が設けられている。
前記摺動板２２は前記支持板７の平板及び両帯板の外面に添設され、凹部１１の内面に当接しており、支持板７の摺動を円滑にするものである。
【００１８】
前記支持板７は、１枚の平板の幅方向両端に帯板を固着し、その帯板の先端を平板より突出し、その突出部分に軸穴を穿孔して軸受部１６を形成しており、この軸受部１６がヒンジ軸５に嵌合支持されている。前記支持板７の前記平板の自由端側には帯板が固着され、２本のピン２３が貫通して付勢手段１２を装着する装着部１７を形成している。
前記支持板７は、１枚の平板の３辺を屈曲して、２つの軸受部１６と１つの装着部１７とを形成してもよい。
【００１９】
ロック体６の軸受部１６とヒンジ軸５を介して連結支持される基体４の軸受部１５との間にはブッシュ２１が設けられている。
前記２本のピン２３は端部がロック本体１９の係合部１８に係合支持され、外周にコイルスプリング２４が嵌装されており、このコイルスプリング２４によって支持板７を凹部１１内で収納方向に付勢している。
【００２０】
前記装着部１７と係合部１８との間に配置された２本のピン２３及びコイルスプリング２４等によって、支持板７を凹部１１内で収納方向に付勢し、ロック本体１９をヒンジ軸５から引き離す方向の移動に対して弾力的な抵抗力を与える付勢手段１２が構成されている。
ロック本体１９の凹部１１を閉鎖する蓋板２０は、ロック本体１９の正面（ロック姿勢Ｒのときは下面）を覆う１枚の金属板で形成されており、ヒンジ軸５側の端部はロック本体１９から突出していて鉤状に屈曲されて互いに略直交する先端面６ａとロック面６ｂとを形成している。
【００２１】
ロック体６のヒンジ軸５側の端部面はロック本体１９の肉厚の略半分が蓋板２０の先端面６ａであり、残りの略半分がロック本体１９のＲ面となっており、ロック本体１９及び蓋板２０のヒンジ軸５側の端部の幅方向中央は、基体４の一対の軸受部１５との干渉を避けるために切欠部１９ａが形成されている。
前記ロック体６のロック本体１９及び蓋板２０は、コイルスプリング２４によって支持板７が凹部１１内で収納方向に付勢されているので、ヒンジ軸５を基準にしてヒンジ軸５に近づく方向に付勢されており、退避姿勢Ｆのときにヒンジ軸５側の端部の先端面６ａは基体４の受け面４ａと面接し、ロック姿勢Ｒのときはヒンジ軸５側の端部のロック面６ｂが基体４の受け面４ａと面接する。
【００２２】
ロック体６の蓋板２０は、先端面６ａとロック面６ｂとの間が角部６ｃになっており、先端面６ａ及びロック面６ｂは受け面４ａと面接しているとき、ヒンジ軸５廻りのロック体６の揺動を阻止することができ、前記受け面４ａとロック面６ｂと角部６ｃとによって、ロック体６がロック姿勢Ｒから退避姿勢Ｆへ姿勢変更するのを規制する規制手段１３が構成されている。
【００２３】
前記規制手段１３は、コイルスプリング２４に抗してロック本体１９及び蓋板２０を引っ張ることにより、先端面６ａ及びロック面６ｂはヒンジ軸５及び受け面４ａから離れる方向に移動するので、角部６ｃがヒンジ軸５の直下から外れ、ロック体６の姿勢変更の規
制は解除され、ロック姿勢Ｒから退避姿勢Ｆへの姿勢変更が可能になる。
なお、ロック体６は先端面６ａが受け面４ａに当接している状態で退避姿勢Ｆが維持されるが、先端面６ａは肉厚の略半分であるので、小さい抵抗でロック体６を退避姿勢Ｆからロック姿勢Ｒへ姿勢変更できる。
【００２４】
前記ロック装置１の使用形態は、基体４を屋外側の引き戸３Ａの戸枠の屋内側の面に固定しておき、屋内側の引き戸３Ｂを開け閉めするときは、ロック体６を基体４の真上の退避姿勢Ｆにしておき、屋内側の引き戸３Ｂを閉め状態から開放を阻止するときは、ロック体６を基体４と略直交するロック姿勢Ｒにし、ロック体６を引き戸３Ｂの移動軌道上へ突出させる。
【００２５】
ロック姿勢Ｒのとき、ロック体６はロック面６ｂが基体４の受け面４ａと当接し、規制手段１３が作用して退避姿勢Ｆへの姿勢変更を規制する。姿勢変更したい場合は、ロック体６を付勢手段１２に抗してヒンジ軸５から離れる方向に引っ張って、支持板７に対してロック本体１９及び蓋板２０を摺動移動させると、角部６ｃがヒンジ軸５の直下から室内側へ外れ、規制手段１３が解除され、ロック体６は自由端側が上方向へ持ち上げ揺動が可能になる。
【００２６】
前記規制手段１３の解除のためのロック体６の引っ張り動作は、室内側では容易に行うことができるが、室外側からではロック体６は把持し難くかつ押し動作をやり難いものとなり、引き戸３Ａ、３Ｂの一部を破壊して、室外側から手を差し伸べても、ロック体６のロックを解除するのは困難になる。
図６は付勢手段１２の第１変形例を示しており、この付勢手段１２は１本の板バネ１２Ａで形成されている。板バネ１２Ａの中央は支持板７に形成した装着部１７に取り付けられ（又は当接しており）、板バネ１２Ａの両端はロック体６のロック本体１９に形成した係合部１８に係合されている。
【００２７】
前記板バネ１２Ａの両端近傍はＬ字形状に屈曲されており、中央に対して両端が相対移動できるようになっており、支持板７に対してロック本体１９をヒンジ軸５側へ付勢している。
図７は付勢手段１２の第２変形例を示しており、この付勢手段１２は２枚の板バネ１２Ｂで形成されている。両板バネ１２Ｂは自由端が支持板７に形成した装着部１７に摺動可能に当接しており、両板バネ１２Ｂの基端はロック体６のロック本体１９に形成した係合部１８に係合保持されている。
【００２８】
両板バネ１２Ｂの各基端は取り付け姿勢が変わらないようにロック本体１９に対して固定され、両基端に対して自由端がロック本体１９に相対移動できるようになっており、支持板７に対してロック本体１９をヒンジ軸５側へ付勢している。
なお、本発明は前記実施形態に限定されるものではなく、部材の形状、構成及び組み合わせ等を変更したりすることもできる。
【００２９】
例えば、支持板７、ロック本体１９及び蓋板２０を有する方を屋外側の引き戸３Ａの戸枠に固定する基体４とし、１枚の板金で形成されてヒンジ軸５を介して連結される方をロック体６としてもよい。この場合、ロック姿勢Ｒのロック体６は付勢手段１２に抗する引っ張り方向が上向きになる。
ロック装置１の取り付け位置は、引き戸３Ａの戸枠の下部でも、上部でも、中間部でもよい。
【符号の説明】
【００３０】
１        引き戸のロック装置
３Ａ，３Ｂ  引き戸
４      基体
４ａ    受け面
４ｂ    取付面
４ｃ    立上壁
５      ヒンジ軸
６      ロック体
６ａ    先端面
６ｂ    ロック面
６ｃ    角部
７      支持板
１１    凹部
１２    付勢手段
１３    規制手段
１５    軸受部
１６    軸受部
１７    装着部
１８    係合部
１９    ロック本体
１９ａ  切欠部
２０    蓋板
２１    ブッシュ
２２    摺動板
Ｆ      退避姿勢
Ｒ      ロック姿勢
【図１】
2018154962.tif 000003
【図２】
2018154962.tif 000004
【図３】
2018154962.tif 000005
【図４】
2018154962.tif 000006
【図５】
2018154962.tif 000007
【図６】
2018154962.tif 000008
【図７】
2018154962.tif 000009